(57)【要約】【課題】オープンショーケースに対面する客等に感じさせる圧迫感を軽減し、商品を目立たせることができるオープンショーケースを提供する。【解決手段】外箱２と内箱３との間に冷気の通風路４が形成されたショーケース本体内の冷蔵室８の前面に、冷気吹出口１０から吸込口に向かって吹出される冷気によりエアーカーテン１２を形成することにより、冷蔵室８を保冷するようにしたオープンショーケースであって、外箱２の上部前端から前方に延びるキャノピー２０の内面側にキャノピー照明２６を配設するとともに、キャノピー２０の前垂れ部２０ｂの外面に、後上方から前下方に向けて外方に湾曲する湾曲面Ｕを形成し、この湾曲面Ｕによりキャノピー照明２６の前方が覆われる。【選択図】図２
2008131971.tif 000002
【特許請求の範囲】
【請求項１】
外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた吸込口に向かって吹き出される冷気によりエアーカーテンを形成することにより、前記冷蔵室を保冷するようにしたオープンショーケースであって、
前記外箱の上部前端から前方に向けてキャノピー部を延設し、該キャノピー部の内面側にキャノピー照明を配設するとともに、前記キャノピーの前部外面に、後上方から前下方に向けて外方に湾曲する湾曲面を形成し、該湾曲面により前記キャノピー照明の前方が覆われるようにしたことを特徴とするオープンショーケース。
【請求項２】
前記湾曲面は、該湾曲面が形成される後上方の始点から前下方の終点までの水平寸法が、前記始点から前記終点までの鉛直寸法よりも長寸に形成されていることを特徴とする請求項１に記載のオープンショーケース。
【請求項３】
前記湾曲面は、一つの曲率半径を有して形成されていることを特徴とする請求項１または２に記載のオープンショーケース。
【請求項４】
前記湾曲面が形成される後上方の始点から前記外箱の上部前端に向けて、該湾曲面と略面一に連続する上向きの水平面が形成されていることを特徴とする請求項１ないし３のいずれかに記載のオープンショーケース。
【請求項５】
前記湾曲面が形成される前下方の終点は、前記キャノピー照明よりも低位置に配置されていることを特徴とする請求項１ないし４のいずれかに記載のオープンショーケース。
【請求項６】
前記湾曲面が形成される前下方の終点から前記冷蔵室側に向けて後下方に延びる下向きの傾斜面が形成されていることを特徴とする請求項５に記載のオープンショーケース。
【発明の詳細な説明】
【技術分野】
【０００１】
本発明は、外箱と内箱との間に冷気の通風路が形成されたショーケース本体内に、前面が開放する冷蔵室を形成し、冷蔵室の前面に、通風路の上部前端に設けた冷気吹出口から、通風路の下部上端に設けた上方が開口する冷気吹出口から、通風路の下部上端に設けた吸込口に向かって吹出される冷気によりエアーカーテンを形成することにより冷蔵室を保冷するようにしたオープンショーケースに関する。
【背景技術】
【０００２】
この種のオープンショーケースは、外箱の上部前端から前方に向けてキャノピー部を延設し、冷機吹出口の前面上方を覆うとともに、該キャノピー部の内面側にキャノピー照明を設け、冷蔵室の前方上部から該冷蔵室内を照らすようにしている。
【０００３】
また、このようにキャノピー部の内面側にキャノピー照明を設けたものにあっては、キャノピー照明の光がオープンショーケースに対面する客に向けて漏れること防止するために、キャノピー部の前面下端を下方に向けて延設し、キャノピー照明の前方を覆うようにしたもの等がある（例えば、特許文献１，２参照）。
【０００４】
【特許文献１】特開平９−１９６５４３号公報（第２頁、第２図）
【特許文献２】実用新案登録第２５０７２９３号公報（第２頁、第３図）
【発明の開示】
【発明が解決しようとする課題】
【０００５】
しかしながら、上記特許文献１，２に記載のオープンショーケースでは、キャノピー部の内面側に設けられたキャノピー照明の前方を覆うために、キャノピー部の前面が上下方向に向けて幅広に形成されるとともに、この幅広のキャノピー部の前面が、オープンショーケースに対面する客側に向けて形成されているため、客への圧迫感が強くなるといった問題があった。
【０００６】
また、このようなキャノピー部の前面には、冷蔵室内の温度を表示する表示部や温度調整を行うための操作部、あるいは冷蔵室に陳列する商品の販促用のＰＯＰ広告等を取り付けることがあり、このような場合、陳列された商品よりも目立ちすぎて商品が注視されにくくなることがあった。
【０００７】
本発明は、このような問題点に着目してなされたもので、オープンショーケースに対面する客等に感じさせる圧迫感を軽減し、商品を目立たせることができるオープンショーケースを提供することを目的とする。
【課題を解決するための手段】
【０００８】
上記課題を解決するために、本発明の請求項１に記載のオープンショーケースは、
外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた吸込口に向かって吹き出される冷気によりエアーカーテンを形成することにより、前記冷蔵室を保冷するようにしたオープンショーケースであって、
前記外箱の上部前端から前方に向けてキャノピー部を延設し、該キャノピー部の内面側にキャノピー照明を配設するとともに、前記キャノピーの前部外面に、後上方から前下方に向けて外方に湾曲する湾曲面を形成し、該湾曲面により前記キャノピー照明の前方が覆われるようにしたことを特徴としている。
この特徴によれば、前面キャノピー照明を前方に取り付けるためにキャノピー部を前方に延ばしても、キャノピー照明を覆うキャノピー部の前部外面がオープンショーケースに対面する客側に向けて配置されることがないので、オープンショーケースに対面する客等への圧迫感が少なく、オープンショーケースより商品を目立たせることができる。
【０００９】
本発明の請求項２に記載のオープンショーケースは、請求項１に記載のオープンショーケースであって、
前記湾曲面は、該湾曲面が形成される後上方の始点から前下方の終点までの水平寸法が、前記始点から前記終点までの鉛直寸法よりも長寸に形成されていることを特徴としている。
この特徴によれば、湾曲面が上向きの緩やかな緩曲面として形成されるので、オープンショーケースの後上方側に向けての視界が広がるばかりか、室内光が湾曲面により主に上方に向けて乱反射されるため、オープンショーケースに対面する客等の眩しさが軽減される。
【００１０】
本発明の請求項３に記載のオープンショーケースは、請求項１または２に記載のオープンショーケースであって、
前記湾曲面は、一つの曲率半径を有して形成されていることを特徴としている。
この特徴によれば、湾曲面を形成し易いばかりか、曲率半径が変化する点を有しないため、キャノピー部の強度を一様に保つことができる。
【００１１】
本発明の請求項４に記載のオープンショーケースは、請求項１ないし３のいずれかに記載のオープンショーケースであって、
前記湾曲面が形成される後上方の始点から前記外箱の上部前端に向けて、該湾曲面と略面一に連続する上向きの水平面が形成されていることを特徴としている。
この特徴によれば、キャノピーを湾曲面のみで構成する場合と比べて、湾曲面を更に前方に延ばすことができるばかりか、湾曲面と水平面との間に段部等が形成されることがないので、キャノピー部の外面を拭取り掃除し易い。
【００１２】
本発明の請求項５に記載のオープンショーケースは、請求項１ないし４のいずれかに記載のオープンショーケースであって、
前記湾曲面が形成される前下方の終点は、前記キャノピー照明よりも低位置に配置されていることを特徴としている。
この特徴によれば、終点がキャノピー照明よりも低位置に配置されている湾曲面により、キャノピー照明を遮光することができるため、オープンショーケースに対面する客等の眩しさが軽減される。
【００１３】
本発明の請求項６に記載のオープンショーケースは、請求項５に記載のオープンショーケースであって、
前記湾曲面が形成される前下方の終点から前記冷蔵室側に向けて後下方に延びる下向きの傾斜面が形成されていることを特徴としている。
この特徴によれば、キャノピー部の内面側に配設されたキャノピー照明を、湾曲面と、湾曲面の終点と連続する下面とにより、オープンショーケースの外方から被覆し防護するように形成できる。
【発明を実施するための最良の形態】
【００１４】
本発明に係るオープンショーケースを実施するための最良の形態を実施例に基づいて以下に説明する。
【実施例】
【００１５】
本発明の実施例を図面に基づいて説明すると、先ず図１は、本発明の実施例におけるオープンショーケースの一部破断側面図である。図２は、オープンショーケースのキャノピー拡大側面図である。図３は、図２と同じくキャノピー拡大側面図である。図４は、本発明の変形例におけるキャノピー拡大側面図である。
【００１６】
図１に示されるオープンショーケース１は、主に商店やスーパーマーケットやコンビニエンスストア等の食品等を取り扱う販売店舗に設置され、商品を低温に保ったまま保冷、または冷凍した状態で陳列するために設置される冷蔵ショーケースであり、本実施例においては、後述するキャノピー２０が客等の目線よりも高い位置になるように、全高が１９００〜２０００ｍｍ程度に構成されている。
【００１７】
正面側を開口した内箱３により囲まれた冷蔵室８には、商品を陳列する陳列棚７が上下方向に複数設置され、下部に設けられた底板１１にも商品（図示省略）を陳列可能になっており、商品を多数載置可能な構成となっている。以下、本実施例の説明において、図１のオープンショーケース１を対面した状態で見て、手前正面側を右方とし、奥行き側を左方とし、内箱３の開口側を前方とし、閉塞側を後方として説明する。
【００１８】
このオープンショーケース１には、正面側が開口された内箱３と、この内箱３と同じく正面側が開口され、内箱３を囲繞するように左右方向に設けられた外箱２とからなり、外箱２は発砲ウレタン樹脂材等からなる断熱部材と、この断熱部材の表裏面を覆うスチール金属等の表面板と、から構成されている。外箱２と内箱３との間には通風路４が形成され、ショーケース本体３４を成す。この通風路４内には、冷却装置５と送風機６を備えている。
【００１９】
オープンショーケース１の下部には、通風路４内に空気を取り込む吸込口９が形成され、オープンショーケース１の上部には、冷却装置５にて冷却された冷気の冷気吹出口１０が形成されている。そこで送風機６の稼動によって、冷却装置５によって冷却された冷気が冷気吹出口１０から吸込口９に向けて吹出され、ショーケース１の前方に内箱３の開口を閉塞する冷気のエアーカーテン１２が形成されるとともに、このエアーカーテン１２の冷気の一部が冷蔵室８内に供給されることで温度を低温に保つことができ、冷蔵室８内の陳列棚７や底板１１に載置される商品（図示省略）を冷蔵（冷凍）した状態で陳列できるようになっている。
【００２０】
吹出口１０の前方位置には、下方に向けて左右幅方向に延びるノジング２５が略鉛直方向に延設されており、冷気吹出口１０の後方位置には、下方に向けて整流板１５が略鉛直方向に延設され、これらノジング２５および整流板１５とで、冷気吹出口１０から吹出されるエアーカーテン１２の整流が助成されている。整流板１５の後方には、冷蔵室８内を照明する蛍光ランプ等の照明装置１４が配設されている。同様に各陳列棚７の前端部下面には、直下の陳列棚７および底板１１に陳列される商品を照明する蛍光ランプ等の照明装置１３が設けられている。
【００２１】
そして、ノジング２５の上方には、前方に冷蔵室８内を照明する蛍光ランプ等のキャノピー照明が配設されたキャノピー２０が、外箱２の上部前端から前方に向かうように取り付けられている。
【００２２】
次にキャノピー２０の詳細について説明する。
【００２３】
キャノピー２０は、図２において図示されているように、左右幅方向に延びるスチール金属等などの部材で構成されており、基本的に、キャノピー２０は、内部が中空状の箱型形状であって、外面として上向きの水平面Ｖを有するキャノピー本体２０ａと、該キャノピー本体２０ａの前端から前下方に向けて湾曲し、かつ、外面として湾曲面Ｕ及び傾斜面Ｗを有する前垂れ部２０ｂと、からなる一対のユニット構造である。そして、キャノピー本体２０ａの後方側には、外箱２の上面及び前端面に当接するよう、左右幅方向に切欠部を有しており、キャノピー本体２０ａと外箱２とが固定的に接続されるよう外箱２の上方から図示しないネジなどで固定されている。
【００２４】
キャノピー２０の外面は、外箱２側から前方に向かって順に、水平面Ｖ、湾曲面Ｕそして傾斜面Ｗが連続して形成されている。水平面Ｖは外箱２の上部前端から前方に延びる略平面形状であって、この水平面Ｖと略面一にキャノピー２０外方に向けて凸状に緩やかに下降する緩曲面である湾曲面Ｕが形成される。この湾曲面Ｕは、水平面Ｖとの境界である始点Ｓから湾曲面Ｕの終端である終点Ｔまで連続面を形成し、この終点Ｔを境界として、オープンショーケース１の冷蔵室８側に向かって後下方に延びる偏向した面を有する傾斜面Ｗが形成されている。
【００２５】
このようにすることで、キャノピー２０を湾曲面のみで構成する場合に比べて、湾曲面Ｕの終点の配置位置を下げないまま更に前方に延ばすことができるばかりか、湾曲面Ｕと、該湾曲面Ｕと水平面Ｖとの間に段部等が形成されることがないので、該湾曲面Ｕに略面一に形成される水平面Ｖとにかけて、キャノピー２０の外面を拭取り掃除し易い。
【００２６】
キャノピー２０の内面（裏面）側について説明すると、オープンショーケース１の左右両側のキャノピー２０の内側面にネジ止めされたソケット（図示略）を介して、左右幅方向に延びる冷蔵室８内を照明するための蛍光灯など等のキャノピー照明２６が配設される。このキャノピー照明２６は、その周囲を囲繞する保護部材２７により保護されており、終点Ｔを通る水平線Ａ−Ａ線よりもキャノピー照明２６が高位置に配置されている。また、キャノピー照明２６に接続された電源供給用の配線（図示略）は、上記したキャノピー２０の中空状の内部空間を利用して、オープンショーケース１の後方側に配備される。
【００２７】
このように、キャノピー２０におけるキャノピー本体２０ａよりも前側には、前下がりに湾曲する前垂れ部２０ｂが形成され、この前垂れ部２０ｂの内面側にキャノピー照明２６が配置されるとともに、湾曲面Ｕの終点Ｔがキャノピー照明２６よりも低位置に配置されることで、キャノピー照明２６の前方が前垂れ部２０ｂ、つまり湾曲面Ｕにより遮光されるため、オープンショーケース１に対面する客等の眩しさが軽減される。
【００２８】
また終点Ｔと連続し、オープンショーケース１の冷蔵室８側に向けて後下方に延びる偏向した面を有する傾斜面Ｗが形成されるため、湾曲面Ｕと傾斜面Ｗとにより、キャノピー２０の内面側に配設されたキャノピー照明２６を、オープンショーケース１の外方から被覆し防護するように形成できる。
【００２９】
次に、ノジング２５は、前面上部が一部切り欠かれた側面視形状を有するとともに、内部が中空状で左右幅方向に延びており、後述するネジ止め作業のため後面が一部開口している。ノジング２５の中空状の内部には、左右方向に枢設された回動軸に巻回された図示しないナイトカバーが収容されるとともに、店舗の非営業時間帯など必要に応じて、ノジング２５前面に開口したスリット（図示略）からナイトカバーを取り出せるようになっている。そしてノジング２５は、ノジング２５の上面とキャノピー本体２０ａの底面との当接面をネジ止めで固定される。また金属などで構成され左右幅方向に延びる側面視略Ｔ字形状のブラケット２９は、ノジング２５の前記した後面の開口が閉鎖されるよう、ブラケット２９の上面と前面が、外箱２の底面とノジング２５の後面とそれぞれ当接されるとともにネジなどで固定される。
【００３０】
整流板１５は、左右幅方向に延びる側面視略L字形状のスチール板等であり、整流板１５の上面と内箱３の下面とが当接し、その当接面をネジ等などで固定される。また整流板１５の背面側において上面と側面に当接する左右幅方向のソケットを有する蛍光灯などの照明装置１４が設けられている。
【００３１】
冷気吹出口１０付近において、外箱２と内箱３との間、整流板１５及びブラケット２９から構成される通風路４は、外箱２と内箱３との間において前後方向に向かうとともに、整流板１５の前面とブラケット２９の後面との間で上下方向に向かって形成されており、図２では図示されていない冷却機５で発生された冷気がこの通風路４を介して、下方に向けて開口する冷気吹出口１０から吹出される。
【００３２】
上記の説明により構成される実施形態では、キャノピー２０における前垂れ部２０ｂの外面に湾曲面Ｕが形成されているため、キャノピー照明２６を前方に取り付けるために外面を前方に延ばしても、キャノピー照明２６を覆う前垂れ部２０ｂの外面である湾曲面Ｕが、オープンショーケース１に対面する客側に向けて配置されることがない、すなわち、湾曲面Ｕは客からの視線に対して対向することなく、略並行に配置されるため、オープンショーケース１に対面する客等への圧迫感が少なく、オープンショーケース１より商品を目立たせることができる。
【００３３】
特に湾曲面Ｕについては、図３に示されるように、湾曲面Ｕが形成される始点Ｓから終点Ｔまでの水平寸法Ｘが、始点Ｓから終点Ｔまでの鉛直寸法Ｙよりも長寸に形成されていることで、オープンショーケース１の後上方側に向けての視界が広がるばかりか、室内光Ｋが湾曲面Ｕによる反射光Ｋ’が、主にオープンショーケース１の上方に向けて乱反射されるため、オープンショーケース１に対面する客等の眩しさが軽減される。また、始点Ｓがキャノピー照明２６よりも後方に配置されることで、湾曲面Ｕがより前後方向に傾くため、客に対して対向しにくくなる。
【００３４】
なお、この湾曲面Ｕは、反射光Ｋ’を反射させるばかりでなく、例えばオープンショーケース１の上方に、特に図示されない室内空調機が設置された場合も、この室内空調機からオープンショーケース１後下方に向けて送り出された送風空気が湾曲面Ｕにより遮られて分散されるため、この送風空気が、冷気吹出口１０から吹出される冷気に混入することを抑止することができる。
【００３５】
また、本実施例のオープンショーケース１のキャノピー２０外面に外方に向けて凸状の湾曲面Ｕを形成して、オープンショーケース１上方の外気Ｊを冷気吹出口１０から遠ざけ、且つ回り込むように形成したため、冷気吹出口１０から吹出される冷気によるエアーカーテン１２の流動により、比較的高温であるオープンショーケース１上方の外気Ｊが冷気に混入することを抑止し、冷蔵室８内を効率よく保冷できる。
【００３６】
以上、本発明の実施例を図面により説明してきたが、具体的な構成はこれら実施例に限られるものではなく、本発明の要旨を逸脱しない範囲における変更や追加があっても本発明に含まれる。
【００３７】
上記実施例では、始点Ｓから終点Ｔに向かって緩やかな湾曲面Ｕが形成されているが、例えば変形例として図４に示される湾曲面Ｕ’は、中心点Ｐを中心とする半径Ｒの円の円弧で形成されていてもよい。この特徴によれば、湾曲面Ｕ’を形成し易いばかりか、曲率半径が変化する点を有しないため、キャノピー２０の強度を一様に保つことができ、さらに、湾曲面Ｕ’が側面視円弧形状の曲面であるため、客等に優美なスマートさによる独特の美感がもたらされる。
【００３８】
また全高が１９００〜２０００ｍｍ程度のオープンショーケースに限られず、スーパーマーケット、コンビニエンスストア、またはデパート等の食品売り場において、例えば冷凍食品や生鮮食料等を陳列するために用いられるオープンショーケースは全て含まれる。
【図面の簡単な説明】
【００３９】
【図１】本発明の実施例におけるオープンショーケースの一部破断側面図である。
【図２】オープンショーケースのキャノピー拡大側面図である。
【図３】図２と同じくキャノピー拡大側面図である。
【図４】変形例におけるキャノピー拡大側面図である。
【符号の説明】
【００４０】
１                オープンショーケース
２                外箱
３                内箱
４                通風路
８                冷蔵室
９                吸込口
１０              冷気吹出口
１２              エアーカーテン
２０              キャノピー（キャノピー部）
２０ａ            キャノピー本体
２０ｂ            前垂れ部（キャノピー部の前部）
２６              キャノピー照明
２７              保護部材
３４              ショーケース本体
Ｕ、Ｕ’          湾曲面
Ｖ                水平面
Ｗ                傾斜面
【図１】
2008131971.tif 000003
【図２】
2008131971.tif 000004
【図３】
2008131971.tif 000005
【図４】
2008131971.tif 000006